(57)【要約】【課題】  強度に優れ、かつ曲げ加工等が容易な建物用手すりを提供する。【解決手段】  手すり本体１を構成する手すり芯材２を中空状に形成することにより、手すり心材２の各部を薄板状とし、被覆材３とを接着成形により一体的に形成することにより、強度を保持する。また、手すり本体１と取付ブラケット４との係止は、取付ブラケット４の係止部４２に側面から上面にかけて斜めに延びると共に側面の開口端が手すり本体１下面の係合溝２８に臨む取付孔４４を形成し、係止部４２の側面側から取付ねじ６を螺合させて、取付ねじ６の端部により手すり本体１の当接凹部２５を押圧することにより行うことができるようにする。【選択図】図２
0003101739.tif 000002
【実用新案登録請求の範囲】
【請求項１】
アルミ押出型材製の手すり芯材の外周面部に合成樹脂製の被覆材を一体に被覆してなる手すり本体と、該手すり本体を取付基部に取り付ける取付ブラケットとからなる建物用手すりにおいて、
前記手すり芯材は、前記外周面部と、該外周面部の内部の内壁部との間に中空部を有するとともに、該内壁部を形成する上部水平片の当接凹部と、一対の対向する垂直片の係合凹部とにより断面略十字状で下向きに開口する係合溝を有し、
前記取付ブラケットは、前記手すり芯材の係合溝に摺動可能に嵌合される断面略十字状の係止部を有すると共に、該係止部には一端を前記手すり芯材の係合溝の開口に臨んで形成される取付孔を有し、
該取付孔に螺合されて先端部を前記手すり芯材の当接凹部に押圧する取付ねじによって前記取付ブラケットと前記手すり芯材とを固定してなる、建物用手すり。
【考案の詳細な説明】
【技術分野】
【０００１】
本考案は、廊下や階段等の屋内外で使用される建物用手すり、特に笠木と手すり芯材とが一体的に形成されてなる手すり本体、及び手すり本体と取付基部とを固定する取付ブラケットからなる建物用手すりに関する。
【背景技術】
【０００２】
従来、廊下、階段等の屋内外で使用される建物用手すりには、芯材を樹脂等による被覆材で被覆して手すり本体としたものが存在する。
【０００３】
そのような手すりとしては、特許文献１に記載されるように、中空の笠木の下部に長手方向に沿ってスリットを形成し、この笠木を固定するために支柱の上端部にスリットに挿通されるスリット挿通部と笠木の中空部に位置する長尺の支持部材とを一体に有するブラケットを設け、その支持部材の長手方向中央部にスリットの両側上縁部に当接されて笠木の揺動支点となる支点部を形成すると共に、前記支持部材の長手方向両端部に前記笠木の中空部の天井部に当接されて笠木を角度調節可能に固定する調節ねじを設けた構成のものが見られる。
【０００４】
特許文献１記載の構成では、笠木が下部解放の円筒形で肉厚に形成されており、強度的には良好であるが使用する材料が多いため価格の上昇が避けられない問題であると共に、曲げ加工に対応することが困難である、等の問題がある。
【０００５】
【特許文献１】特許第２５７６９６５号公報
【考案の開示】
【考案が解決しようとする課題】
【０００６】
本考案によって解決しようとする課題は、強度に優れ、かつ曲げ加工等に対応可能な建物用手すりを提供することにある。
【課題を解決するための手段】
【０００７】
上記課題を解決する手段として、本考案では建物用手すりを以下に示すような構成としている。
【０００８】
すなわち、請求項１に記載した通り、アルミ押出型材製の手すり芯材の外周面部に合成樹脂製の被覆材を一体に被覆してなる手すり本体と、該手すり本体を取付基部に取り付ける取付ブラケットとからなる建物用手すりにおいて、  前記手すり芯材は、前記外周面部と、該外周面部の内部の内壁部との間に中空部を有するとともに、該内壁部を形成する上部水平片の当接凹部と、一対の対向する垂直片の係合凹部とにより断面略十字状で下向きに開口する係合溝を有し、  前記取付ブラケットは、前記手すり芯材の係合溝に摺動可能に嵌合される断面略十字状の係止部を有すると共に、該係止部には一端を前記手すり芯材の係合溝の開口に臨んで形成される取付孔を有し、  該取付孔に螺合されて先端部を前記手すり芯材の当接凹部に押圧する取付ねじによって前記取付ブラケットと前記手すり芯材とを固定してなることにより前記手すり本体と前記取付ブラケットとが連結されるようにしてある。
【考案の効果】
【０００９】
上記構成では、手すり芯材の外周面部の内部に設けられる内壁部を補強材とすることにより、手すり芯材の各部が薄板状とすることができるので、十分な強度を有しつつ、曲げ加工も容易に行うことができる。
【００１０】
また、手すり芯材の外周に合成樹脂材料による被覆材が接着成形により一体的に設けられて手すり本体をなすので、曲げ加工を行う際にも被覆材に皺が寄ってしまうようなことがない。更に、気温の変化により被覆材のみが伸縮してしまうことがなくなるので、端部キャップの外れ等の問題を防止することができる。
【考案を実施するための最良の形態】
【００１１】
本考案を実施するための最良の形態としては、以下の実施例による形態がある。
【実施例１】
【００１２】
図１ないし図４において、１は手すり本体、２は手すり芯材、３は被覆材、４は取付ブラケットであり、手すり芯材２及び被覆材３は接着成形により一体的に形成されて手すり本体１となる。
【００１３】
手すり芯材２は、外周部を形成する外周面部２１と、外周面部２１の内側に形成される内壁部２２、及び外周面部２１と内壁部２２の間に形成される中空部２３よりなる。内壁部２２について更に説明すると、上部水平片２４は手すり芯材２の中央よりもやや上方に形成される水平状片であり、外端部がそれぞれ外周面部２１に連接して設けられる。当接凹部２５は上部水平片２４の略中央に形成される溝状の部分である。  また、垂直片２６は、上部水平片２４より垂下されるように設けられる。さらに、垂直片２６には、係合凹部２７が形成される。垂直片２６の下端部は、外周面部２１と連接されるように形成される。これら上部水平片２４、当接凹部２５、垂直片２６、係合凹部２７により下部開放状に形成される係合溝２８は、略十字型の溝状に形成される。
【００１４】
被覆材３は軟質又は半硬質の熱可塑性合成樹脂製の被覆体基層３１と、被覆体基層３１と同種の軟質又は半硬質の熱可塑性合成樹脂からなり、被覆体基層３１の外面に形成される被覆体表面層３２とから構成される、下部が開放された断面円弧状の部材である。
【００１５】
被覆体表面層３２には、前記の軟質又は半硬質の熱可塑性合成樹脂とともに、微粒子の木粉を主材とする組成物を混入しても良い。この場合、表面が木質調の被覆材３となり、質感に優れたものとなる。
【００１６】
取付ブラケット４は、図２（ａ）に示すように、台状に形成され、底面に形成されたねじ孔により壁面等の取付基部Ｗと係止される固定部４１と、固定部４１の上方において、手すり本体１の係合溝２８に挿入される係止部４２と、からなる。固定部４１には、被覆材３の表面の仕上げ（色調・模様など）に合わせて形成されるブラケットカバー４３が係合される。また、係止部４２は、手すり芯材２（手すり本体１）の内部に対応して、略十字状に形成されるので、係合溝２８内でスライド可能とされ、位置調整が可能とされる。係止部４２の側面から上面にかけて斜めに延びる取付孔４４が形成される。取付孔４４の側面側端部は、手すり本体１下面の開口部２２に臨むように設けられており、施工の際開口部２２から係止ねじ６を螺入して、手すり本体１及び取付ブラケット４とを係止する。
【００１７】
次に、本実施例における建物用手すりの取付方法について説明すると、まず、手すり本体１の端部から取付ブラケット４の係止部４２を挿入し、適宜位置までスライドさせ、位置決めをする。
【００１８】
次に、手すり本体１の係合溝２８から、取付ブラケット４の取付孔４４に係止ねじ６（タッピングビス）を螺入し、係止ねじ６の先端が当接凹部２５に当接し、さらに押圧するまで締め付けていく。
【００１９】
取付ブラケット４の係止部４２は前述の通り略十字状に形成されるため、係止ねじ６による押圧によって、当接部４５が手すり本体１の係合凹部２７の上端面と当接するようになり、手すり本体１と取付ブラケット４とがしっかりと固定される。
【００２０】
次に、建物用手すりを取り付ける取付基部Ｗに一体となった手すり本体１及び取付ブラケット４を取り付ける。取付ブラケット４の固定部４１の底面には、（図示しない）係止用孔が形成されており、取付ねじ６を係止用孔を介して取付基部Ｗに螺合させることによって、建物用手すりが取付基部Ｗに固定される。
【００２１】
その後、取付ブラケット４の固定部４１を、互いの嵌合により包囲するように形成された１組のブラケットカバー４３を取り付け、最後にエンドブラケット４６を手すり本体１の両端部に係止させて、完成となる。
【００２２】
図３に示されるように、エンドブラケット４６は、ブラケット本体４７から突出する係止片４８とからなり、係止片４８は取付ブラケット４の係止部４２と同様に、略十字状に形成される。また、係止片４８には、上面から下面に連通する取付孔４９が形成される。係止片４８を手すり本体１の係合溝２８に挿入し、取付孔４９の下面側から取付ねじ６を螺合させて、取付ねじ６の先端により当接凹部２５を押圧するようにすることは、取付ブラケット４と同様である。
【実施例２】
【００２３】
実施例１では、ある程度短尺の所謂補助手すりとして使用する例を挙げたが、その他の実施例として、図５及び図６に示すように、建物の廊下や階段等で使用される建物用手すりとしても使用することができる。手すり本体１を長尺状とし、取付ブラケット５を取付基部Ｗと平行方向に形成される固定部５１と、固定部５１の上端より取付基部Ｗから離れる方向に突出した腕部５３と、腕部５３の先端部に略十字状に形成される係止部５２と、からなるようにして、多数の取付ブラケット５を適宜間隔をおいて固定するような構成とすれば良い。なお、手すり本体１と取付ブラケット５の係止部５２との固定方法は、実施例１と全く同様であるので、説明を省略する。
【図面の簡単な説明】
【００２４】
【図１】本考案に係る建物用手すりの実施形態を示す図であり、（ａ）は平面図、（ｂ）は側面図である。
【図２】（ａ）は図１のＩ−Ｉ断面図であり、（ｂ）はII−II断面図である。
【図３】（ａ）は図１のIII−III断面図であり、（ｂ）はIV−IV断面図である。
【図４】建物用手すりの端部を示す図である。
【図５】他の実施例を示す図である。
【図６】図５のブラケット付近を示す図であり、（ａ）は手すりを長手方向に沿った中央付近で切断した断面図、（ｂ）は取付ブラケットの側面付近で切断した断面図である。
【符号の説明】
【００２５】
１      手すり本体
２      手すり芯材
２１    外周面部
２２    内壁部
２３    中空部
２４    上部水平片
２５    当接凹部
２６    垂直片
２７    係合凹部
２８    係合溝
３      被覆材
３１    被覆体基層
３２    被覆体表面層
４      取付ブラケット
４１    固定部
４２    係止部
４３    ブラケットカバー
４４    取付孔
４５    当接部
４６    エンドブラケット
４７    ブラケット本体
４８    係止片
４９    取付孔
５      取付ブラケット
５１    固定部
５２    係止部
５３    腕部
６      取付ねじ
Ｗ      取付基部
【図１】
0003101739.tif 000003
【図２】
0003101739.tif 000004
【図３】
0003101739.tif 000005
【図４】
0003101739.tif 000006
【図５】
0003101739.tif 000007
【図６】
0003101739.tif 000008